(57)【要約】【課題】ポータブルトイレを容易に移動することができ、さらに使用者がポータブルトイレへの移乗や使用(用便時)を介護者の補助なしに行うことができるポータブルトイレを提供する。  【解決手段】  本発明では、便座を有するポータブルトイレと、ポータブルトイレ後方下部に固定されたキャスターと、曲折して形成されその両端部にポータブルトイレとの取付部を有する手すりと、ポータブルトイレの側面後方部に手すりの取付部を固定する固定部とを具備する手すり付きポータブルトイレにおいて、手すりが、便座の後端部と略平行かつ上方に配置された水平部と、その水平部の両端を下方前方に傾斜して曲折して形成される傾斜部と、その傾斜部を便座の上方の位置で下方略鉛直方向に曲折する湾曲部とその湾曲部から下方鉛直方向に形成される鉛直部とからなることを特徴とした。【選択図】  図１
2006102340.tif 000002
【特許請求の範囲】
【請求項１】
便座を有するポータブルトイレと、
前記ポータブルトイレ後方下部に固定されたキャスターと、
曲折して形成されその両端部に前記ポータブルトイレとの取付部を有する手すりと、
前記ポータブルトイレの側面後方部に前記手すりの取付部を固定する固定部と
を具備する手すり付きポータブルトイレにおいて、
前記手すりが、前記便座の後端部と略平行かつ上方に配置された水平部と、
その水平部の両端を下方前方に傾斜して曲折して形成される傾斜部と、
その傾斜部を前記便座の上方の位置で下方略鉛直方向に曲折する湾曲部と
その湾曲部から下方鉛直方向に形成される鉛直部とからなることを特徴とする手すり付きポータブルトイレ。
【請求項２】
前記湾曲部より前記傾斜部に沿った上方位置にその傾斜部に回動支持部を有すると共に、
前記便座と略平行な位置と略垂直な位置の間において回動可能でかつその回動支持部より前方に張り出した可動式手すりを有することを特徴とする請求項１記載の手すり付きポータブルトイレ。
【請求項３】
前記可動式手すりが、前記便座と略平行な位置では便座側の内側に傾いた位置と、前記便座と略垂直な位置では便座側と逆の外側に傾いた位置との間で回動することを特徴とする請求項２記載の手すり付きポータブルトイレ。
【請求項４】
前記ポータブルトイレ前方下方部に凹部を有することを特徴とする請求項１〜３のいずれかに記載の手すり付きポータブルトイレ。
【発明の詳細な説明】
【技術分野】
【０００１】
本発明は、身体能力の低下したお年寄りや身体障害者等が介護者の手助けを受けることなく使用できる便器に係わり、運搬や移動が容易な便器に関する発明である。
【背景技術】
【０００２】
傷病の身体障害者や身体能力の低下したお年寄りなどには、トイレまでの歩行が困難である場合には、居室、病室または寝室等で運搬や移動が容易ないわゆるポータブルトイレを利用されている。
このポータブルトイレには様々な形態のものが提案されている。例えば両側に前後方向水平に手すりを設け、便座への着座や起立時に掴むことにより安全な動作を行うことができ、また用便中に体を支えることができるものがある(例えば、特許文献１参照。)。
【０００３】
この例では、ポータブルトイレに、手すり、背もたれなどを一体とし使用者が介護者の補助なしに、安全に使用できる手すりフレームを備えている。しかしながらこの手すりフレームは、ポータブルトイレと別体であり、ポータブルトイレを移動させる場合には、別に改めて手すりフレームを設置するという作業が必要であり、ポータブルトイレの簡便性を無くしてしまっていた。
【０００４】
さらに、従来のポータブルトイレは、便座と排泄物を貯溜するバケツなどで主に構成されており、排泄物を溜めるだけの単純機能で軽量タイプが主流であったが、使用者の用便行為やその空間に関して衛生性や快適性への要望が増加し、温水でおしりを洗浄する機能や脱臭機能といった高機能付加に対する要求が増大している。従って、手すりや背もたれがポータブルトイレに付いたものや、高機能で重いタイプ(10kg以上の重量)の製品が市場に出回っている。一方、このようなポータブルトイレを運搬や移動させるような場合は、単純に垂直方向へ持ち上げる行為は困難であるため、キャスターなどを付加し、できるだけ少ない力で移動させることが提案されている(例えば、特許文献２参照。)。
【０００５】
また、従来の固定タイプの手すりでは、例えば使用者がベッドや車椅子からポータブルトイレへと移乗する場合に、ベッドや椅子などでの腰掛け状態や、老人によく見られる低い体勢から、水平に移動する場合、手すりが移乗動作を妨げることになる。特許文献２には、手すりがポータブルトイレに付いたものが提案されているが、キャスターがあり移動は容易であるが、手すりがポータブルトイレに固定されているため使用者の移乗が困難である。
【０００６】
手すりの少なくとも一部を移乗の動作の妨げにならないように可動させることで、使用者が容易に、より望ましくは介護者の補助なしに、ポータブルトイレに移乗できるものも提案されている(例えば、特許文献３参照。)。
この場合、使用者のベッドや車椅子等からの移乗時に手すりを下げるのに、固定ネジ部分をゆるめるため、操作に手間がかかり、時には下げたときに指をはさむといった危険性もある。また使用時の姿勢も不安定で不便である。
【特許文献１】特開平９−３１３４０７号公報
【特許文献２】特開平８−２４３０５６号公報
【特許文献３】特開２００２−５８６１８号公報
【発明の開示】
【発明が解決しようとする課題】
【０００７】
本発明は上記課題を解決し、ポータブルトイレを容易に移動することができ、さらに使用者がポータブルトイレへの移乗や使用(用便時)を介護者の補助なしに行うことができるポータブルトイレを提供する。
【課題を解決するための手段】
【０００８】
上記課題を解決するために、請求項１の発明によれば、便座を有するポータブルトイレと、前記ポータブルトイレ後方下部に固定されたキャスターと、曲折して形成されその両端部に前記ポータブルトイレとの取付部を有する手すりと、前記ポータブルトイレの側面後方部に前記手すりの取付部を固定する固定部とを具備する手すり付きポータブルトイレにおいて、前記手すりが、前記便座の後端部と略平行かつ上方に配置された水平部と、その水平部の両端を下方前方に傾斜して曲折して形成される傾斜部と、その傾斜部を前記便座の上方の位置で下方略鉛直方向に曲折する湾曲部とその湾曲部から下方鉛直方向に形成される鉛直部とからなることを特徴とするものとした。
これにより曲折して形成された手すりを使用することで、ポータブルトイレへの移乗が容易となり、この手すりとポータブルトイレに固定されているキャスターを利用することで、必要に応じポータブルトイレを自在に動かすことができる。
【０００９】
また請求項２記載の発明によれば、前記湾曲部より前記傾斜部に沿った上方位置にその傾斜部に回動支持部を有すると共に、前記便座と略平行な位置と略垂直な位置の間において回動可能でかつその回動支持部より前方に張り出した可動式手すりを有することを特徴とするものとした。
これにより可動式手すりが便座と略平行にある場合には、使用者は便座への着座や起立時に可動式手すりを掴むことにより安全な動作を行うことができ、また用便中に体を支えることができる。また可動式手すりが便座と略垂直にある場合には、使用者がポータブルトイレへの移乗を、介護者の補助なしに容易に行うことができる。
【００１０】
また請求項３記載の発明によれば、前記便座と略平行な位置では便座側の内側に傾いた位置と、前記便座と略垂直な位置では便座側と逆の外側に傾いた位置との間で回動することを特徴とするものとした。
これにより可動式手すりが前記便座と略平行な位置では、使用者の体に沿って可動式手すりがあり使用時に体の安定を得ることができ、排泄を促す前傾姿勢が長時間でも楽に保てるとともに、用便時に力を入れやすい。また前記便座と略垂直な位置では、便座側と逆の外側に位置に回動することで、可動式手すりはポータブルトイレ本体と干渉することがなく、更に座った姿勢の使用者が可動式手すりを略平行な位置へ降ろすためにつかむ動作も行いやすく、部材に傷がついたりすることがなく反復する動きも常にスムーズに行われる。
【００１１】
また請求項４記載の発明によれば、前記ポータブルトイレ前方下方部に凹部を有することを特徴とする請求項１〜３のいずれかに記載の手すり付きポータブルトイレであるものとした。
これによりポータブルトイレを移動させる際には、この凹部に手をかけることで移動がさせやすくなる。
【発明の効果】
【００１２】
本発明によれば、介護必要な使用者のベッドや車椅子からのポータブルトイレへの移乗や用便などを介護者の補助なしに行なうことができる。さらに介護者の補助を低減できる位置へポータブルトイレを容易に移動させることができる。
【発明を実施するための最良の形態】
【００１３】
この発明に係る手すり付きポータブルトイレの実施の一形態を図面に基づいて説明する。
図１は本発明手すり付きポータブルトイレの斜視図、図２は本発明の手すり付きポータブルトイレの使用の様子を示した図、図３は本発明の手すり付きポータブルトイレの平面図、図４は本発明の手すり付きポータブルトイレの可動式手すりの回動支持部を示した図、図５は本発明の実施の一形態である手すり付きポータブルトイレに背もたれを付けた様子を示した図、図６は本発明の手すり付きポータブルトイレの移動に関する使用の様子を示した図である。
【００１４】
図１および図２に示すように、ポータブルトイレ１は便座１０１を有する。また、ポータブルトイレ１はその後方の下部左右にキャスター１０２が取り付けられているため、前方を浮かし後ろに傾けて、このキャスター１０２により移動をさせることができる。
手すり２は、曲折して形成され、まず便座１０１後方上方に、便座１０１の後端部１０３と略平行に、水平部２０１を持つ。この手すり２の水平部２０１を下方に押し下げて前方を浮かすことができ、キャスター１０２により、ポータブルトイレ１を移動させることが容易である。
なお、後端部１０３は、便座１０１の取り付けられる機能部の後端部をいう。
【００１５】
水平部２０１の両端は曲折し、下方前方へと傾斜して形成される傾斜部２０２となる。傾斜部２０２は便座１０１の左右両側に配置されている。傾斜部２０２は便座１０１の上方１００ｍｍから２５０ｍｍの位置で曲折した湾曲部２０９から、下方略鉛直方向へと形成される鉛直部２０３となる。この鉛直部２０３の両端付近に、手すり２をポータブルトイレ１に取り付ける取付部２０４を備える。
【００１６】
ポータブルトイレ１は、両側面の後方に手すり２の取付部２０４を固定する固定部１０４を備える。より望ましくは、両側面の固定部１０４は上下に数点ずつ備え、手すり２の取付部２０４を固定する高さを、使用者や介護者、ポータブルトイレを移動させる人の体格に合わせて調節できるものとするとよい。
【００１７】
手すり２の取付部２０４、およびポータブルトイレ１の固定部１０４は、いかなる方法で固定されてもよいが、例えば取付部、固定部ともに同じ大きさの穴が開けてあり穴の内面が雌ねじ状に加工されていて、一本の雄ねじでこれらを貫通するものとし固定することができる。
なお、手すり２の材料は、特に定めるものではないが、移動のために力を加えることを考慮すると、剛性の高い材料、例えば鉄など、を用いることが望ましい。
【００１８】
手すり２は、湾曲部２０９より、傾斜部２０２に沿った上方の位置に、回動支持部２０５を有し、この点から前方に張り出して可動式手すり２０６を備える。  可動式手すり２０６は、便座１０１と略平行な位置と、略垂直な位置の間で回動可能である。回動支持部２０５はこの両位置でストッパーが働き、その位置を保持できる。あるいは可動式手すり２０６の回動軸に皿バネを挿入し、回転軸まわりのトルクを皿バネの摺動抵抗によって調整し、力を回転方向に加えれば、回転範囲内を動かすことができるものの、触れたり、手を置いたりしただけでは動かないものとしたり、利用者の身体状態に合わせて回転トルクを変更したりすることができる。
【００１９】
図３にも示すように、この可動式手すり２０６が、便座１０１と略平行な位置にあるときは、可動式手すり２０６の回動支持部２０５の中心点を通過し、手すり２の傾斜部２０２の中心軸２１０と略平行な補助線２０７に対して、可動式手すり２０６は、便座側（内側）に３〜１０度傾いて位置する。このとき使用者は可動式手すり２０６をひじかけなどとして利用するのであるが、使用者の体に沿って可動式手すり２０６があり使用時に体の安定を得ることができ、排泄を促す前傾姿勢が長時間でも楽に保てるとともに、用便時に力を入れやすい。
【００２０】
また、可動手すり２０６が便座１０１と略垂直な位置にあるときは、補助線２０７に対して、可動式手すり２０６は、便座と逆側（外側）に３〜１０度傾いて位置するものとする。これにより可動式手すり２０６はポータブルトイレ本体１と干渉することがなく、更に座った姿勢の使用者が可動式手すり２０６を略平行な位置へ降ろすためにつかむ動作も行いやすく、部材に傷がついたりすることがなく、反復する動きも常にスムーズに行われる。
【００２１】
図３および図４に示すように、この角度を生じさせるため、回動支持部２０５の傾斜部２０２への接続部２１３の中心点を通過し、手すり２の水平部２０１の中心軸２１１と略平行な補助線２１２に対して、回動軸２０８が３〜１０度便座側へ傾くよう設置する必要がある。なお、図４は、理解容易なように可動式手すりを省いて示している。
【００２２】
またポータブルトイレ１の前方下方部には、凹部１０５を備えた。これはポータブルトイレを持ち上げて移動させたりする場合に、手を掛けるのに適する。よってこの凹部１０５の幅は７０〜１２０mm、奥行きは１５〜２５mm、深さは１２〜２５mm程度あれば良い。
【００２３】
さらに、図２に示したのは、使用者が用便時にどのようにして本発明手すり付きポータブルトイレを用いるか、という点である。
使用者は主に便所までの移動、歩行が困難であると考えられるので、座ったままの状態(車椅子など)でポータブルトイレ１に近づくことが予想される。あるいはポータブルトイレ１そのものを、使用者がよく利用するベッドの脇などに置くことも考えられる。使用者はここで上体を起し(ベッドのリクライニング機能などを用いてもよい)、腰をずらすような形でポータブルトイレ１に移乗すればよい。
【００２４】
例えば、使用例として、ベッドからの移乗を考える。可動式手すり２０６を垂直にあげ、湾曲部２０９を持って腰をずらす形でポータブルトイレ１に近づく。次に、水平部２０１と、便座と略水平な位置にある他方の可動式手すり２０６を持って立ち上がり、体をひねりながらポータブルトイレ１の便座１０１に腰を下ろす。降ろしたままの可動式手すり２０６を両手で持ちながら体をひねり腰をずらして便座面に着座する。移乗が完了したら、垂直に上げた可動式手すり２０６を便座と略水平な位置まで下ろし、用便に適当な体勢を取ることができる。用便が終了したら、再度可動式手すり２０６を便座と略垂直な位置にあげて、着座と逆の動作で、元の位置に戻ることができる。このように本発明手すり付きポータブルトイレにより、使用者は介護者の補助なしにポータブルトイレを使用することができる。
【００２５】
図６に示したのは、本発明手すり付きポータブルトイレの運搬・移動を行う点である。前方下方部けこみ１０６内の凹部１０５に手を挿入し、前方を浮かし後ろに傾けてキャスター１０２を用いて移動させる。凹部１０５を手掛かりとして利用することで力を効率的に伝えることができることから、比較的楽に運搬・移動を行うことができる。
【００２６】
図５に示したのは、本発明手すり付きポータブルトイレを用いる場合、使用者が介護者の補助なしに使用する場合の一例であり、手すり２の水平部２０１は、通常使用時には、使用者の背面への転倒防止の役割を担う。従って、便蓋１０７を取って、水平部２０１に、背もたれ３０１を取付けることにより、背もたれ付きポータブルトイレとなり、利用者が補助無しでポータブルトイレを利用することのサポートを行うこともできる。
【図面の簡単な説明】
【００２７】
【図１】本発明の実施の一形態である手すり付きポータブルトイレの斜視図である。
【図２】本発明の実施の一形態である手すり付きポータブルトイレの使用の様子を示した図である。
【図３】本発明の実施の一形態である手すり付きポータブルトイレの平面図である。
【図４】本発明の実施の一形態である手すり付きポータブルトイレの可動式手すりの回動支持部を示した図である。
【図５】本発明の実施の一形態である手すり付きポータブルトイレに背もたれを付けた様子を示した図である。
【図６】本発明の実施の一形態である手すり付きポータブルトイレの移動に関する使用の様子を示した図である。
【符号の説明】
【００２８】
１  ：  ポータブルトイレ
２  ：  手すり
１０１  ：  便座
１０２  ：  キャスター
１０３  ：  便座の後端部
１０４  ：  固定部
１０５  ：  凹部
１０６  ：  けこみ
１０７  ：  便蓋
２０１  ：  水平部
２０２  ：  傾斜部
２０３  ：  鉛直部
２０４  ：  取付部                            
２０５  ：  回動支持部
２０６  ：  可動式手すり
２０７  ：  回動支持部中心を通る補助線
２０８  ：  回動軸
２０９  ：  湾曲部
２１０  ：  傾斜部中心軸
２１１  ：  水平部中心軸
２１２  ：  回動支持部接続部中心を通る補助線
２１３  ：  回動支持部接続部
３０１  ：  背もたれ
【図１】
2006102340.tif 000003
【図２】
2006102340.tif 000004
【図３】
2006102340.tif 000005
【図４】
2006102340.tif 000006
【図５】
2006102340.tif 000007
【図６】
2006102340.tif 000008